(57)【特許請求の範囲】
【請求項１】
システム全体を統括管理するホストコンピュータと１対１で接続されるホスト通信ユニットと；
前記ホスト通信ユニットにバス形式で接続され伝送線を介して複数の監視端末器および複数の制御端末器が接続された複数の主制御装置と；
前記ホスト通信ユニットに前記ホストコンピュータ及び前記主制御装置との通信に必要な通信パラメータやアドレスを設定し、ホストコンピュータの伝送信号通信に関する疑似ホストコンピュータ機能を有してホストコンピュータがホスト通信ユニットに接続される前に、ホスト通信ユニット以降の通信チェックを可能とする設定器と；
前記ホスト通信ユニットに設けられ、前記設定器で設定した前記ホスト通信ユニットとの通信パラメータと自己アドレスを記憶する不揮発性メモリと；
を備えたことを特徴とする遠隔監視制御システム。
【請求項２】
前記ホスト通信ユニットは、前記ホストコンピュータから前記主制御装置のアドレスを含む伝送信号を受け取り、各主制御装置のアドレス毎にそのアドレス宛ての伝送信号のみ送ると共に、各主制御装置からの伝送信号をまとめてホストコンピュータに送ることを特徴とする請求項１記載の遠隔監視制御システム。
【発明の詳細な説明】
【０００１】
【発明の属する技術分野】
本発明は、ホストコンピュータと複数の主制御装置とを通信線を介して接続し、主制御装置に伝送線で接続された端末器を介して負荷を制御する遠隔監視制御システムに関する。
【０００２】
【従来の技術】
一般に、遠隔監視制御システムは、システム全体を統括管理するホストコンピュータと、制御対象である負荷側に設けられた複数の主制御装置とを有している。主制御装置には、複極（±２４Ｖ）の時分割多重信号で示されたデータを送受信する伝送線が接続され、この伝送線に接続された端末器を介して負荷を監視制御するようにしている。端末器には、負荷を制御する制御端末器と、例えばスイッチのオンオフを監視する監視端末器とがあり、監視端末器の状態変化に応じて該当の制御端末器に制御データを送信し負荷を制御するようになっている。
【０００３】
このような遠隔監視制御システムとしては、例えば照明制御システムがある。この場合の負荷は照明器具であり、制御は照明器具の点灯消灯制御や調光制御である。また、監視データは、例えばスイッチのオンオフ等を示す信号であり、その監視データに基づいて制御端末器により照明器具が制御される。
【０００４】
この遠隔監視制御システムにおけるホストコンピュータと主制御装置との間の通信は、１対１の通信が行われている。通常、複数（Ｎ個）の主制御装置が設けられるので、ホストコンピュータ側にＮ個の回線を設けるか、モデムを使用してホストコンピュータからポーリングやセレクティングする方式がとられている。
【０００５】
また、ホストコンピュータと主制御装置との間の通信パラメータの設定には、主制御装置のディップスイッチを操作して設定したり、予め通信パラメータを書き込んだＲＯＭを主制御装置に持たせるようにしている。
【０００６】
【発明が解決しようとする課題】
ところが、このような従来の遠隔監視制御システムでは、ホストコンピュータと主制御装置との間の通信は１対１の通信としているので、複数の主制御装置に対しては１対Ｎの通信となる。従って、ホストコンピュータは各々の主制御装置との通信の負担が大きくなっていた。
【０００７】
また、ホストコンピュータと主制御装置との間の通信パラメータの設定は、主制御装置のディップスイッチを操作して行ったり、予めＲＯＭに書き込んだりしていたので、その設定操作や書き込みに手間がかかっていた。
【０００８】
本発明は、ホストコンピュータと複数の主制御装置との間の通信パラメータの設定操作が容易に行える遠隔監視制御システムを得ることを目的とする。
【０００９】
【課題を解決するための手段】
請求項１の発明の遠隔監視制御システムは、システム全体を統括管理するホストコンピュータと１対１で接続されるホスト通信ユニットと；前記ホスト通信ユニットにバス形式で接続され伝送線を介して複数の監視端末器および複数の制御端末器が接続された複数の主制御装置と；前記ホスト通信ユニットに前記ホストコンピュータ及び前記主制御装置との通信に必要な通信パラメータやアドレスを設定し、ホストコンピュータの伝送信号通信に関する疑似ホストコンピュータ機能を有してホストコンピュータがホスト通信ユニットに接続される前に、ホスト通信ユニット以降の通信チェックを可能とする設定器と；前記ホスト通信ユニットに設けられ、前記設定器で設定した前記ホスト通信ユニットとの通信パラメータと自己アドレスを記憶する不揮発性メモリと；
を備えたことを特徴とする。
【００１０】
本発明および以下の請求項の各発明において、特に指定しない限り用語の定義および技術的意味は次による。
【００１１】
遠隔監視制御システムは、システム全体を統括管理するホストコンピュータと、制御対象である負荷側に設けられた複数の主制御装置とを有している。この遠隔監視制御システムは、例えば、負荷が照明器具である場合の照明制御システムに適用され、照明器具の点灯消灯制御や調光制御等を行うものであるが、これに限られない。
【００１２】
ホストコンピュータは、各々の主制御装置に制御データを送信すると共に各々の主制御装置から監視データを受信しシステム全体を統括管理する。
【００１３】
主制御装置は、伝送線に接続された端末器を介して負荷を監視制御するものであり、監視端末器の状態変化に基づいて該当の制御端末器に制御データを伝送線を介して送信し負荷を制御する。
【００１４】
伝送線は、複極（±２４Ｖ）の時分割多重信号で示されたデータを送受信する伝送線であり、主制御装置と端末器との間を接続する。端末器は、例えばオンオフスイッチやセンサ入力用端末器等の監視端末器と、接続された負荷を制御する制御端末器とからなり、調光制御用の調光用監視端末器や調光用制御端末器を含む。
【００１５】
ホスト通信ユニットは、ホストコンピュータと複数の主制御装置との間に設けられ、ホストコンピュータとの間の通信処理および複数の主制御装置との間の通信処理を行う。また、ホスト通信ユニットは、ホストコンピュータとは１対１で通信線で接続され、複数の主制御装置とはそれぞれの通信線で接続される。
【００１６】
設定器は、例えば携帯可能なパーソナルコンピュータであり、ホスト通信ユニットにホストコンピュータ及び主制御装置との通信に必要な通信パラメータやアドレスを設定したり、ホストコンピュータの伝送信号通信に関する疑似ホストコンピュータ機能を有しホストコンピュータがホスト通信ユニットに接続される前に、ホスト通信ユニット以降の通信チェックを可能とする。この伝送信号通信に関する疑似ホストコンピュータ機能は、ホストコンピュータと同じ手順での伝送信号でホスト通信ユニットと通信するプログラムで達成される。
【００１７】
設定器で設定されたホスト通信ユニットとの通信パラメータと自己アドレスとはホスト通信ユニットに設けられた不揮発性メモリに記憶される。不揮発性メモリとは、電気的に読み書き可能で電源が切れても蓄えられた情報が消滅しないものを言う。通信パラメータには通信速度や伝送信号のデータ長などの情報が含まれる。
【００１８】
本発明によれば、ホスト通信ユニットとホストコンピュータとの通信線を１回線とすることができ、ホスト通信ユニットにより複数の主制御装置を監視制御できるので、ホストコンピュータの負担を減らすことができる。また、ホスト通信ユニットに接続した設定器により、ホストコンピュータとの間の通信パラメータやアドレス、主制御装置との間の通信パラメータやアドレスを設定し、ホスト通信ユニット内の不揮発性メモリに記憶する。従って、現場で通信パラメータやアドレスの設定や変更が可能になるので、現場での作業効率が良くなる。さらに、ホストコンピュータが接続される前に、設定器での伝送信号通信に関する疑似ホストコンピュータ機能により、ホスト通信ユニット以降の通信チェックが可能になり、現場の作業効率を上げることができる。
【００１９】
請求項２の発明の遠隔監視制御システムは、請求項１記載の遠隔監視制御システムにおいて、前記ホスト通信ユニットは、前記ホストコンピュータから前記主制御装置のアドレスを含む伝送信号を受け取り、各主制御装置のアドレス毎にそのアドレス宛ての伝送信号のみ送ると共に、各主制御装置からの伝送信号をまとめてホストコンピュータに送ることを特徴とする。
【００２０】
本発明においては、各主制御装置のアドレス毎にそのアドレス宛ての伝送信号のみ送るので、通信データ量が減り効率の良い伝送が可能になる。伝送信号は制御データや監視データ等である。
【００２６】
【発明の実施の形態】
以下、本発明の実施の形態を説明する。図１は本発明の実施の形態に係わる遠隔監視制御システムの構成図である。
【００２７】
図１において、遠隔監視制御システムは、システム全体を統括管理するホストコンピュータ１と、制御対象である負荷側に設けられた複数の主制御装置２とを有しており、ホストコンピュータ１と複数の主制御装置２との間にホスト通信ユニット３が接続されている。図１では、負荷が照明器具である場合の照明制御システムに適用された遠隔監視制御システムを示しており、この遠隔監視制御システムは照明器具の点灯消灯制御や調光制御等を行うものである。
【００２８】
ホストコンピュータ１は、各々の主制御装置２に制御データを送信すると共に各々の主制御装置から監視データを受信しシステム全体を統括管理するものである。また、ホスト通信ユニット３は、ホストコンピュータ１との間の通信処理および複数の主制御装置２との間の通信処理を行うものであり、ホストコンピュータ１とは１対１でホスト通信線４で接続され、複数の主制御装置２とはバス形式のそれぞれのローカル通信線５で接続されている。
【００２９】
このホスト通信ユニット３は、ホストコンピュータ１から各々の主制御装置２のアドレスを含む伝送信号を受け取ると、各主制御装置２のアドレス毎にそのアドレス宛ての伝送信号のみを送信するように動作し、逆に、各主制御装置２からの伝送信号をまとめてホストコンピュータ１に送信するように動作する。この場合の伝送信号は制御データや監視データ等である。
【００３０】
また、ホスト通信ユニット３には設定器６が接続可能になっており、この設定器６により、ホストコンピュータ１および主制御装置２との通信に必要な通信パラメータやアドレスを設定する。設定器６で設定されたデータは、ホスト通信ユニット３内のメモリ７の不揮発性メモリに記憶される。このホスト通信ユニット３内のメモリ７は、後述するように不揮発性メモリを有している。また、設定器６としては、例えば携帯可能なパーソナルコンピュータ（パソコン）が用いられ、例えば、ＲＳ−２３２Ｃポートを使用してパソコンのキーボード操作で通信パラメータをホスト通信ユニット３に書き込むプログラムを有する。
【００３１】
また、設定器６はホストコンピュータ１の伝送信号通信に関する疑似ホストコンピュータ機能を有しており、ホストコンピュータ１がホスト通信ユニット３に接続される前に、この疑似ホストコンピュータ機能によりホスト通信ユニット３以降の通信チェックを可能としている。この疑似ホストコンピュータ機能は、伝送信号通信に関するホストコンピュータの模擬機能であり、ホストコンピュータと同じ手順での伝送信号でホスト通信ユニット３と通信するプログラムで達成される。
【００３２】
次に、主制御装置２には複数の伝送線８が接続されており、この伝送線８に接続された端末器９を介して負荷を監視制御する。伝送線８は、複極（±２４Ｖ）の時分割多重信号で示されたデータを送受信する伝送線であり、主制御装置２と端末器９との間を接続する。
【００３３】
端末器９には、監視端末器と制御端末器とがあり、負荷が照明器具である場合の調光制御用の調光用監視端末器や調光用制御端末器を含む。監視端末器は、例えばオンオフスイッチやセンサ入力用端末器等であり、制御端末器には負荷が接続される。そして、監視端末器の状態変化に基づいて該当の制御端末器に制御データが伝送線８を介して送信され、その制御端末器により負荷（照明器具）が制御される。
【００３４】
各々の主制御装置２には、通信パラメータおよび自己アドレスを入力するための入力部１０、入力部１０で入力したデータを画面表示する表示部１１、入力部１０で入力されたデータを記憶するためのメモリ１２を有している。
【００３５】
各々の主制御装置に設けられた入力部１０は、主制御装置２とホスト通信ユニット３との通信パラメータとその主制御装置２の自己アドレスを入力するものであり、例えばタッチパネルが用いられる。また、表示部１１は、入力部１０で入力した通信パラメータや自己アドレスのデータを画面表示するものであり、例えば液晶表示器が用いられる。そして、入力部１０で入力したホスト通信ユニットと主制御装置２との間の通信パラメータおよび自己アドレスは、各々の主制御装置内２のメモリ１２の不揮発性メモリに記憶される。
【００３６】
図２は、本発明の実施の形態におけるホスト通信ユニット３のブロック図である。ホスト通信ユニット３の電源部１３には交流電源ＡＣ１００Ｖが入力され、ホスト通信ユニット３内の制御電源が作成される。
【００３７】
そして、ホスト通信ユニット３の制御部１４は、第１の通信Ｉ／Ｆ部１５を介してホストコンピュータ１および設定器６と通信を行うと共に、第２の通信Ｉ／Ｆ部１６を介して各々の主制御装置２と通信を行う。第１の通信Ｉ／Ｆ部１３はＲＳ−３２３Ｃ回線でホストコンピュータ１および設定器６に接続されている。
【００３８】
制御部１４はマイコンで構成され、第１の通信Ｉ／Ｆ部１５および第２の通信Ｉ／Ｆ部１６は専用のシリアル伝送用ＩＣが使用されている。この制御部１４にはメモリ７が接続されており、メモリ７の不揮発性メモリ７Ａに設定器６からの通信パラメータが記憶される。
【００３９】
次に、図３は本発明の実施の形態における主制御装置２のブロック図である。主制御装置２の電源部１７には交流電源ＡＣ１００Ｖが入力され、主制御装置２内の制御電源が作成される。主制御部２の制御部１８は、通信Ｉ／Ｆ部１９を介してホスト通信ユニット３と通信を行うと共に、伝送Ｉ／Ｆ部２０を介して各々の端末器９と通信を行う。
【００４０】
制御部１８はマイコンで構成され、この制御部１８にはホスト通信ユニット３との通信パラメータと自己アドレスとを入力する入力部１０と、入力部１０で入力したデータを表示する表示部１１とが接続されている。そして、入力部１１で入力したホスト通信ユニット３との通信パラメータおよび自己アドレスはメモリ１２の不揮発性メモリ１２Ａに記憶される。
【００４１】
入力部１０は文字や記号を入力するためのタッチパネル２１と、タッチパネル２１で入力された情報を制御部１８に出力制御するためのタッチパネル制御部２２とから構成されている。また、表示部１１はタッチパネル２１で入力された情報を制御部１８から入力制御するための液晶表示制御部２３と、液晶表示制御部２３からの情報を画面表示する液晶表示器２４とから構成される。
【００４２】
このように、表示部１１の表示画面は例えば液晶表示器２１で構成され、入力部１０のタッチパネル２１は透明のマトリックス状のアナログ抵抗膜で構成される。そして、液晶表示器２４の画面上にアドレスの入力を求める表示とテンキー表示を用意し、タッチパネル２１でのタッチ操作で数字を選択すればアドレスを入力することができるようになっている。
【００４３】
図１において、いま、ホストコンピュータ１から、第１の主制御装置Ｎｏ１の第１番目の制御端末器９に対する制御データ「ＯＮ」、および第２の主制御装置Ｎｏ２の第３番目の制御端末器９に対する制御データ「ＯＦＦ」が送信されたとする。ホスト通信ユニット３は、これを受けると、まず第１の主制御装置Ｎｏ１に第１番目の制御端末器９に対して「ＯＮ」の伝送信号を送り、その後、第２の主制御装置２の第３番目の制御端末器９を「ＯＦＦ」する伝送信号を送る。
【００４４】
一方、第１の主制御装置Ｎｏ１の第１番目の制御端末器９が「ＯＮ」に状態変化し、第２の主制御装置Ｎｏ２の第３番目の制御端末器９が「ＯＦＦ」に状態変化したときは、ホスト通信ユニット３はその伝送信号を受け取り、ホストコンピュータ１に対して、第１の主制御装置Ｎｏ１の第１番目の制御端末器９が「ＯＮ」、第２の主制御装置Ｎｏ２の第３番目の制御端末器９が「ＯＦＦ」の監視伝送信号をホストコンピュータ１に送る。このように、ホスト通信ユニット３は、各主制御装置２のアドレス毎にそのアドレス宛ての伝送信号のみ送るので、通信データ量が減り効率の良い伝送が可能になる。
【００４５】
以上述べたように、この実施の形態によれば、主制御装置２のアドレスや主制御装置２とホスト通信ユニット３との間の通信パラメータを、主制御装置２の表示部１１の画面を見ながら入力部１０から入力できるので、それらの設定操作の操作性に優れる。また、ホスト通信ユニット３とホストコンピュータ１との通信線を１回線とすることができ、ホスト通信ユニット３により複数の主制御装置２を監視制御できるので、ホストコンピュータ１の負担を減らすことができる。
【００４６】
また、ホスト通信ユニット３に接続した設定器６により、ホストコンピュータ１との間の通信パラメータやアドレス、主制御装置２との間の通信パラメータやアドレスを設定できるので、現場で通信パラメータやアドレスの設定や変更が可能になり、現場での作業効率が良くなる。また、ホストコンピュータ１が接続される前に、設定器６での伝送信号通信に関する疑似ホストコンピュータ機能により、ホスト通信ユニット３以降の通信チェックが可能になり、現場の作業効率を上げることができる。
【００４７】
【発明の効果】
以上述べたように、本発明によれば、ホストコンピュータとの通信回線やプログラムを増やすことなく、ホストコンピュータに複数の主制御装置を接続することが可能となり、通信パラメータの設定操作も簡単にできる。
【００４８】
請求項１によれば、ホストコンピュータの通信回線を１回線で複数の主制御装置を監視制御でき、ホストコンピュータの負担を減らすことができる。また、設定器により通信パラメータを現場で設定や変更が可能になるので、現場での作業効率が良くなる。さらに、設定器の疑似ホストコンピュータ機能により、ホストコンピュータが接続される前にホスト通信以降の通信チェックが可能になり、現場の作業効率を上げることができる。
【００４９】
請求項２によれば、総ての伝送信号を（各々の）主制御装置に送るのではなく、主制御装置のアドレス毎に分けたので、通信データ量が減り効率の良い伝送が可能になる。
【図面の簡単な説明】
【図１】本発明の実施の形態に係わる遠隔監視制御システムの構成図。
【図２】本発明の実施の形態におけるホスト通信ユニットのブロック図。
【図３】本発明の実施の形態における主制御装置のブロック図。
【符号の説明】
１  ホストコンピュータ
２  主制御装置
３  ホスト通信ユニット
４  ホスト通信線
５  ローカル通信線
６  設定器
７、１２  メモリ
７Ａ、１２Ａ  不揮発性メモリ
８  伝送線
９  端末器
１０  入力部
１１  表示部
１３、１７  電源部
１４、１８  制御部
１５  第１の通信Ｉ／Ｆ部
１６  第２の通信Ｉ／Ｆ部
１９  通信Ｉ／Ｆ部
２０  伝送Ｉ／Ｆ部
２１  タッチパネル
２２  タッチパネル制御部
２３  液晶表示部
２４  液晶表示器
【図１】
0003870564.tif 000002
【図２】
0003870564.tif 000003
【図３】
0003870564.tif 000004